(57)【要約】【課題】縦目地部分に設置することでサイディング材が強風等で外れることを抑制でき、かつサイディング材と壁体の間の空間が狭い場合にも適用でき、合成樹脂製のサイディング材の伸縮も許容できるうえ、壁体から予期せず外れにくい縦目地用ジョイナを提供することを目的とする。【解決手段】壁体に横方向に隣り合うように取り付けられたサイディング材の間に形成される縦目地の部分に設置される縦目地用ジョイナであって、前記サイディング材の外面上に縦目地を覆うように設置される合成樹脂製のカバー板部１０と、カバー板部１０の裏側に設けられた金属補強板１２と、を備える、縦目地用ジョイナ１。【選択図】図１
2016204975.tif 000002
【特許請求の範囲】
【請求項１】
壁体に横方向に隣り合うように取り付けられたサイディング材の間に形成される縦目地の部分に設置される縦目地用ジョイナであって、
前記サイディング材の外面上に縦目地を覆うように設置される合成樹脂製のカバー板部と、前記カバー板部の裏側に設けられた金属補強板と、を備える、縦目地用ジョイナ。
【発明の詳細な説明】
【技術分野】
【０００１】
本発明は、縦目地用ジョイナに関する。
【背景技術】
【０００２】
建築物や構造物等の外壁には、外装化粧材としてサイディング材が使用されることが多い。サイディング材としては、合成樹脂製サイディング材、金属製サイディング材、窯業系サイディング材等が知られている。通常、サイディング材は特定の大きさのものが量産され、建築物等の外壁に複数のサイディング材が並べて取り付けられる。サイディング材としては、例えば、杉板の下見板張りのようなクリップボード型やドイツ張りのダッチラップ型等が知られており、またその働き幅は２００〜４００ｍｍと様々な種類がある。このようなサイディング材を壁体に複数取り付ける際には、横方向に隣り合うサイディング材の間に縦目地が形成される。
【０００３】
縦目地の態様としては、例えば、横方向に隣り合うサイディング材の端部同士を重ね合わせる態様が知られている（例えば、特許文献１）。この場合、縦目地を壁体の上下方向に連続させると、強風等によりサイディング材が壁体から外れやすくなる。
そこで、横方向に隣り合うサイディング材の端部同士を重ねて縦目地を形成する場合は、一般に、壁体の上下に位置する縦目地を横方向にずらすように各サイディング材が設置される。例えば、図６に例示した、上下方向の中央部分に横方向に延びる段差が形成されたサイディング材２００を用いる場合について説明する。この場合、横方向に隣り合うサイディング材２００で形成される縦目地２１０の位置が、壁体の上下方向に連続しないように、横方向にずれるように各サイディング材２００を壁体に取り付ける。
しかし、このように縦目地の位置をずらす方法は、各々の縦目地をどの位置にするかを施工現場で決める必要があるために作業難易度が上がり、作業者への負担が大きくなる。
【０００４】
長尺のベース部材及びカバー部材を備える縦目地用ジョイナを縦目地上に取り付けることも提案されている（例えば、特許文献２）。これにより、サイディング材が風等で外れることが抑制される。具体的には、壁体に取り付けたベース部材上で、横方向に隣り合うサイディング材の端部同士を突き合わせて縦目地を形成し、カバー部材で該縦目地を覆った状態で該カバー部材がベース部材に固定される。
しかし、該縦目地用ジョイナを用いる方法は、サイディング材と壁体との間にベース部材を配置するための充分な空間が必要なため、サイディング材と壁体との間の空間が狭い場合には適用できない。
【０００５】
縦目地用ジョイナとしては、縦目地を覆う合成樹脂製のカバー部材を備え、該カバー部材の下端部から裏側に延出し、さらにその先端が上方に延出した返し部が設けられた縦目地用ジョイナも提案されている（例えば、特許文献３）。該縦目地用ジョイナを設置する際には、カバー部材で縦目地を覆うようにサイディング材の外面上に配置し、下端部の返し部をサイディング材の段差部分に下から上に引っ掛ける。そして、カバー部材の上端部を、上下に隣り合うサイディング材の重なり部分の間に挿入して固定する。該縦目地用ジョイナは、ベース部材を用いないため、サイディング材と壁体の間の空間が狭い場合にも適用できる。
しかし、該縦目地用ジョイナにおいては、合成樹脂製のカバー部材が撓みやすいために設置強度が充分でなく、取り付けられた縦目地用ジョイナが強風等の影響で下方に抜け落ちるおそれがある。
【０００６】
ところで、合成樹脂製サイディング材は、金属製や窯業系のサイディング材に比べて、耐久性に優れること、塩害による錆や凍結融解によるひび割れがないこと、撥水性や耐衝撃性に優れること、軽量で加工性が良好であること等の利点がある。そのため、新築もしくはリフォームにおいては、合成樹脂製サイディング材が用いられることが多い。しかし、合成樹脂製のサイディング材は、昼間と夜間の温度差や、季節毎の温度差による伸縮が大きく、縦目地の間隔が変化する。そのため、合成樹脂製のサイディング材の場合、縦目地用ジョイナはサイディング材の伸縮を許容できるものであることが重要である。
【先行技術文献】
【特許文献】
【０００７】
【特許文献１】特開平２−８８８４０号公報
【特許文献２】実開昭６３−１１４０号公報
【特許文献３】実公平７−１５９５８号公報
【発明の概要】
【発明が解決しようとする課題】
【０００８】
本発明は、縦目地部分に設置することでサイディング材が強風等で外れることを抑制でき、かつサイディング材と壁体の間の空間が狭い場合にも適用でき、合成樹脂製のサイディング材の伸縮も許容できるうえ、壁体から予期せず外れにくい縦目地用ジョイナを提供することを目的とする。
【課題を解決するための手段】
【０００９】
本発明の縦目地用ジョイナは、壁体に横方向に隣り合うように取り付けられたサイディング材の間に形成される縦目地の部分に設置される縦目地用ジョイナであって、前記サイディング材の外面上に縦目地を覆うように設置される合成樹脂製のカバー板部と、前記カバー板部の裏側に設けられた金属補強板と、を備える。
【発明の効果】
【００１０】
本発明の縦目地用ジョイナは、縦目地部分に設置することでサイディング材が強風等で外れることを抑制でき、かつサイディング材と壁体の間の空間が狭い場合にも適用でき、合成樹脂製のサイディング材の伸縮も許容できるうえ、壁体から予期せず外れにくい。
【図面の簡単な説明】
【００１１】
【図１】本発明の縦目地用ジョイナの一例を示した図であって、外面側から見たときの斜視図である。
【図２】図１の縦目地用ジョイナを裏面側から見たときの斜視図である。
【図３】図１の縦目地用ジョイナの縦断面図である。
【図４】図１の縦目地用ジョイナを縦目地部分に取り付ける様子を示した斜視図である。
【図５】図４におけるサイディング材と縦目地用ジョイナのＥ−Ｅ断面図である。
【図６】従来のサイディング材の壁体への取り付け方を示した正面図である。
【発明を実施するための形態】
【００１２】
本明細書において、「外面」とは、縦目地用ジョイナを建築物の外壁等に取り付けた際に屋外側となる面である。
「裏面」とは、外面の反対側、すなわち縦目地用ジョイナを建築物の外壁等に取り付けた際に建築物側となる面である。
上端部等における「上」は、縦目地用ジョイナを建築物の外壁等に取り付けた際に上になる側をいう。
下端部等における「下」は、縦目地用ジョイナを建築物の外壁等に取り付けた際に下になる側をいう。
【００１３】
本発明の縦目地用ジョイナは、壁体に横方向に隣り合うように取り付けられたサイディング材の間に形成される縦目地の部分に設置される縦目地用ジョイナである。以下、本発明の縦目地用ジョイナの一例を示して説明する。
【００１４】
本実施形態の縦目地用ジョイナ１は、図１及び図２に示すように、サイディング材の外面上に縦目地を覆うように設置されるカバー板部１０と、カバー板部１０の裏側に設けられた金属補強板１２と、を備える。
【００１５】
（カバー板部）
カバー板部１０は、横方向に隣り合うサイディング材の間に形成された縦目地を覆うようにサイディング材の外面上に配置され、それらサイディング材を押さえるための板状の部材である。
本発明においては、カバー板部の形状は、縦目地用ジョイナを適用するサイディング材の外面の形状に沿う形状になっていることが好ましい。具体的には、この例では、カバー板部１０の形状は、縦目地用ジョイナ１を適用する後述のサイディング材２００の外面形状に沿う形状になっている。これにより、縦目地用ジョイナ１によってサイディング材をよりしっかりと押さえることができる。また、縦目地上に縦目地用ジョイナ１を取り付けたときにサイディング材の外面とカバー板部１０との間の隙間を小さくすることができ、該隙間から雨水等がサイディング材の壁体側まで侵入することを抑制しやすくなる。
【００１６】
この例では、カバー板部１０の形状は、上下方向の中央部分に横方向に延びる段差が設けられ、側面視で波形状になっており、上下方向に同じ形状が２回繰り返された形状になっている。
なお、本発明の縦目地用ジョイナにおけるカバー板部の形状は、この例の形状には限定されない。例えば、上下方向に同じ形状が繰り返される数が３回以上のカバー板部であってもよく、上下方向に同じ形状が繰り返されないカバー板部であってもよい。
【００１７】
カバー板部１０の上端部には、横方向に延びる帯状の薄肉部１０ａが形成されている。例えば、後述するように、上下に隣り合うサイディング材の上端部と下端部との重なり部分の間に薄肉部１０ａを挿入することで、縦目地用ジョイナ１の上端部をサイディング材の外面上に取り付けることができる。
【００１８】
カバー板部１０における薄肉部１０ａ以外の部分の厚みは、強度等を考慮して適宜設定すればよく、例えば、０．５〜５ｍｍとすることができる。
カバー板部１０における薄肉部１０ａの厚みは、上下に隣り合うサイディング材の上端部と下端部との重なり部分の隙間の間隔に応じて適宜設定すればよい。
【００１９】
カバー板部１０における下端部には、サイディング材の下端部の形状に沿って屈曲され、裏面側に向かって延出した第１延出片１０ｂと、第１延出片１０ｂの先端部から上方に延出した第２延出片１０ｃと、を備えている。すなわち、カバー板部１０における下端部には、第１延出片１０ｂ及び第２延出片１０ｃからなる返し部分が設けられている。
前記返し部分は、サイディング材の下端部の形状に沿うような形状になっており、縦目地用ジョイナ１をサイディング材上に縦目地を覆うように設置する際に該サイディング材の下端部に引っ掛けることができるようになっている。
【００２０】
カバー板部１０は、合成樹脂製である。これにより、カバー板部１０は、金属製の場合に比べて雨水等の影響による錆が生じにくく、劣化しにくい。
カバー板部１０を形成する合成樹脂としては、例えば、ポリ塩化ビニル樹脂、ポリエチレン樹脂、ポリプロピレン樹脂、アクリル樹脂、ポリカーボネート樹脂、ＡＢＳ樹脂、ＡＥＳ樹脂、ＡＳＡ樹脂等が用いられ、これらのなかでも、耐久性に優れ、加工性も良い硬質ポリ塩化ビニル樹脂がより好ましい。
カバー板部１０を形成する合成樹脂としては、１種のみを単独で用いてもよく、２種以上を組み合わせて用いてもよい。
【００２１】
カバー板部１０には、必要に応じて、充填剤、強化材、顔料、加工助剤、熱安定剤、紫外線吸収剤等の添加剤が配合されてもよい。
【００２２】
（金属補強板）
金属補強板１２は、カバー板部１０の裏面における横方向の中央部分に、カバー板部１０の上端から下端まで帯状に設けられている。金属補強板１２は、カバー板部１０の裏面にカバー板部１０に沿うように設けられている。金属補強板１２が設けられていることで、カバー板部１０が過度に撓むことが抑制される。そのため、壁体に取り付けた縦目地用ジョイナ１は強風等の影響が小さくなり、予期せず外れることを抑制する効果がより高くなる。
【００２３】
金属補強板１２の形状は、カバー板部１０の裏面にカバー板部１０に沿うような形状になっている。具体的には、金属補強板１２の形状は、裏面側から見た正面視で上下方向に長い矩形状で、上下方向の中央部分に横方向に延びる段差が設けられ、側面視で波形状になっている。金属補強板１２は、カバー板部１０と同様に、上下方向に同じ形状が２回繰り返された形状になっている。
【００２４】
金属補強板１２の材質としては、例えば、アルミニウム合金、ステンレス鋼、銅合金、黄銅合金、軟・硬鋼等が挙げられる。なかでも、強度があり軽量化でき、錆や腐食に強い点から、アルミニウム合金やステンレス鋼が好ましい。
【００２５】
金属補強板１２の幅は、特に限定されず、金属補強板１２の材質、厚み等を考慮して金属補強板１２による補強効果が充分に得られるように適宜設定すればよい。例えば、カバー板部１０の幅に対する金属補強板１２の幅の比率は１０〜６０％とすることができる。
なお、金属補強板１２は、カバー板部１０の裏面の全体に設けてもよい。
【００２６】
（製造方法）
縦目地用ジョイナ１の製造方法は、特に限定されない。例えば、縦目地用ジョイナ１の形状に相補的な形状のキャビティを備える金型内に金属補強板１２を配置した状態で、カバー板部１０を形成する合成樹脂を金型内に射出充填して一体に成形するインサート成形法により縦目地用ジョイナ１を製造することができる。
【００２７】
（作用効果）
以下、横方向に隣り合うサイディング材２００によって形成する縦目地の部分に縦目地用ジョイナ１を取り付ける態様の一例について、図４及び図５に基づいて説明する。サイディング材２００は、合成樹脂製サイディング材であってもよく、金属製サイディング材であってもよく、窯業系サイディング材であってもよい。
【００２８】
この例のサイディング材２００は、上下方向の中央部分に横方向に延びる段差が設けられ、側面視で波形状になっており、上下方向に同じ形状が２回繰り返された形状になっている。このサイディング材２００を壁体４００に上下左右に複数設置する。図５に示すように、サイディング材２００の上端部には、外面側に向かって突き出た後に下方に突き出た返し部２３０が設けられている。この返し部２３０に固定用治具３００を引っ掛け、固定用治具３００をビス３１０で壁体４００に固定する。また、サイディング材２００の下端部には、裏面側に突き出た後に上方に突き出た返し部２４０が設けられている。前記のように固定用治具３００を用いて固定したサイディング材２００の返し部２３０に、固定用治具３００の外側から次のサイディング材２００の下端部の返し部２４０を引っ掛け、該サイディング材２００の上端部を、固定用治具３００を用いて前記した方法と同様にして固定する。これを繰り返すことで上下方向にサイディング材２００を取り付ける。
縦目地用ジョイナ１を適用する場合、図４に示すように、横方向に隣り合うサイディング材２００はそれらの側端同士を離間させて配置して縦目地２２０を形成させる。また、この例では、壁体４００の上下方向において、複数の縦目地２２０が直線的に並んで連続するように各サイディング材２００を配置している。
【００２９】
次いで、上下方向に連続する縦目地２２０の部分に複数の縦目地用ジョイナ１を下から上に向かって順に取り付ける。
具体的には、図４及び図５に示すように、横方向に隣り合うサイディング材２００で形成された縦目地２２０を覆うように、サイディング材２００の外面上に縦目地用ジョイナ１を配置する。そして、上下に隣り合うサイディング材２００において上端側の返し部２３０に下端側の返し部２４０が引っ掛けられた部分に、縦目地用ジョイナ１の下端部における第１延出片１０ｂ及び第２延出片１０ｃからなる返し部分を引っ掛ける。次いで、カバー板部１０の上端側の薄肉部１０ａを、さらに上方において上下に隣り合うサイディング材２００の重なり部分、すなわち下側のサイディング材２００の返し部２３０に上側のサイディング材２００の返し部２４０を引っ掛けた部分において、互いのサイディング材２００の間に挿入する。この操作を下から上に向かって繰り返すことで、サイディング材２００の外面上に縦目地２２０を覆うように縦目地用ジョイナ１を連続して設置することができる。
【００３０】
一番上に配置される縦目地用ジョイナ１の上端部を固定する態様は、特に限定されず、例えば、以下の態様が挙げられる。カバー板部１０を壁体４００の上端に合わせて横方向に切断し、その上端部をビス等で壁体４００に固定する。
【００３１】
以上のように、横方向に隣り合うサイディング材２００により形成された縦目地２２０が縦目地用ジョイナ１によって覆われることで、サイディング材２００が強風等の影響で外れることが抑制される。
【００３２】
縦目地用ジョイナ１においては、カバー板部１０が裏面側に設けられた金属補強板１２によって補強されているため、風等で簡単には撓みにくくなっている。そのため、カバー板部１０の下端側の第１延出片１０ｂ及び第２延出片１０ｃからなる返し部分や、上端側の薄肉部１０ａが、強風等の影響でカバー板部１０が撓むことによって外れることが抑制される。このように、縦目地を覆うようにサイディング材の外面上に設置された縦目地用ジョイナ１は、予期せず外れにくい。
【００３３】
また、縦目地用ジョイナ１は、縦目地２２０の部分に設置する際にサイディング材２００の裏面側にベース部材を配置する必要がない。そのため、縦目地用ジョイナ１はサイディング材２００と壁体４００の間の空間が狭い場合にも適用できる。
また、縦目地２２０に縦目地用ジョイナ１を配置した状態においては、サイディング材２００は縦目地用ジョイナ１とは固定されていない。そのため、サイディング材２００が合成樹脂製で、昼間と夜間の温度差や、季節による温度差による伸縮が大きくても、その伸縮を許容することができる。
【００３４】
以上説明したように、本発明の縦目地用ジョイナは、サイディング材が強風等で外れることを抑制できるうえ、カバー板部が裏側に設けられた金属補強板で補強されることで撓みにくくなっているため、設置した縦目地用ジョイナ自体も予期せず外れにくい。
また、本発明の縦目地用ジョイナは、サイディング材の裏側にベース部材を設置する必要がないため、サイディング材と壁体の間の空間が狭い場合にも適用できる。加えて、ベース部材を用いないため、ベース部材を用いる場合に比べて縦目地用ジョイナの軽量化及び薄肉化も可能である。
また、本発明の縦目地用ジョイナは、サイディング材とは固定せず、カバー板部によってサイディング材の側端部を覆うだけであるため、合成樹脂製のサイディング材の伸縮によって縦目地の間隔が変化してもそれを許容することができる。
【００３５】
なお、本発明の縦目地用ジョイナは、前記した縦目地用ジョイナ１には限定されない。
例えば、本発明の縦目地用ジョイナにおける上端側及び下端側をサイディング材の外面上に設置する態様は、前記した縦目地用ジョイナ１を設置する態様には限定されない。本発明においては、カバー板部の上端側と下端側に互いに嵌合する嵌合部を設け、それらを嵌合させることで壁体の上下方向に連続して設けてもよい。この場合、嵌合部をビス等で壁体に固定する態様を採用してもよい。
【００３６】
本発明の縦目地用ジョイナにおいては、金属補強板がカバー板部の上端まで達していない態様としてもよく、金属補強板がカバー板部の下端まで達していない態様としてもよい。
【００３７】
また、本発明の縦目地用ジョイナを用いる場合、壁体の上下に位置する、横方向に隣り合うサイディング材の端部同士を離間させて形成した各々の縦目地が、横方向にずれるように各サイディング材を設置し、各縦目地を覆うように縦目地用ジョイナを配置してもよい。本発明の縦目地用ジョイナを用いれば、壁体の上下方向に縦目地が連続していてもサイディング材が風等の影響で予期せず外れることを充分に抑制できる。そのため、風等の影響を考慮して縦目地をどの位置にするかを施工現場で厳密に決める必要はなく、上下に位置する縦目地を横方向にずらす態様を採用しても作業難易度が過度に上がらず作業者への負担が小さくなる。見栄えがより良好で、現場での作業がより簡便になる点から、壁体の上下方向に縦目地が連続するように各サイディング材を配置して、本発明の縦目地用ジョイナを上下方向に連続して設置することが好ましい。
【符号の説明】
【００３８】
１  縦目地用ジョイナ
１０  カバー板部
１０ａ  薄肉部
１０ｂ  第１延出片
１０ｃ  第２延出片
１２  金属補強板
【図１】
2016204975.tif 000003
【図２】
2016204975.tif 000004
【図３】
2016204975.tif 000005
【図４】
2016204975.tif 000006
【図５】
2016204975.tif 000007
【図６】
2016204975.tif 000008